(57)【要約】【課題】内容液を注出する際に、内容液が注出ノズルの外側に溢れ出るのを回避できると共に、内容液を少量ずつ注出する際に、注出ノズルから安定した状態で注出できる注出容器を提供する。【解決手段】容器本体１１の口首部１２に注出ノズル１４を備える注出キャップ１３が装着され、容器本体１１を傾倒させて内容液を注出ノズル１４から注出させる注出容器１０であって、注出キャップ１４は、口首部１２の内周面１２ａに沿って配置される内筒壁１７と、内筒壁１７の下端部に連設する底面壁１８とを備える。注出ノズル１４は、内筒壁１７と離間して底面壁１８から立設すると共に、注出口１６は、底面壁１６における注出ノズル１４の内側領域に開口形成される。注出ノズル１４は、傾倒方向Ｘとは反対側を開放部とした略Ｕ字断面形状を備え、注出口１６は、開口縁部１６ａと注出ノズル１４の基端部１４ａとの間に張出し周縁壁１９を介在させて設けられている。【選択図】図２
2011136764.tif 000002
【特許請求の範囲】
【請求項１】
容器本体の口首部に注出ノズルを備える注出キャップが装着されており、前記容器本体を傾倒させて、注出口から前記注出ノズルに流出させた内容液を前記注出ノズルの先端から注出させる注出容器であって、
前記注出キャップは、前記容器本体の口首部の内周面に沿って配置される内筒壁を備えると共に、該内筒壁の下端部に連設する底面壁を備えており、
前記注出ノズルは、前記内筒壁と離間して前記底面壁から立設して設けられると共に、前記注出口は、前記底面壁における前記注出ノズルの内側領域に開口形成されており、
前記注出ノズルは、内容液を注出させる際の傾倒方向とは反対側を開放部とした凹形断面形状を備えており、前記注出口は、これの開口縁部と前記注出ノズルの基端部との間に張出し周縁壁を介在させて設けられている注出容器。
【請求項２】
前記底面壁は、前記容器本体の正立状態で傾斜する傾斜面部を含んでおり、前記注出口は、少なくとも一部が前記底面壁の最下部に配置されて開口形成されている請求項１記載の注出容器。
【請求項３】
前記注出キャップを覆って計量キャップが着脱可能に装着されている請求項１又は２記載の注出容器。
【発明の詳細な説明】
【技術分野】
【０００１】
本発明は、注出容器に関し、特に、容器本体の口首部に注出ノズルを備える注出キャップが装着された注出容器に関する。
【背景技術】
【０００２】
容器本体の口首部に注出ノズルを備える注出キャップが装着された注出容器として、例えば計量キャップと組み合わせて用いる計量キャップ付き容器が知られている（例えば、特許文献１、特許文献２参照）。これらの注出容器では、注出キャップの注出ノズルを覆って装着された計量キャップを取り外し、この計量キャップに注出ノズルを介して液体洗剤等の内容液を注出して計量した後に、計量した内容液を洗濯機等の注出箇所に投入する。また、これらの注出容器では、収容した内容液が無くなったり、少なくなったら、例えば詰替え用の袋状容器から内容液を適宜補充して、注出容器自体は廃棄することなく長期間使用することができる。
【０００３】
一方、これらの注出容器では、内容液の注出時に容器本体を急激に傾けると、注出ノズルに設けられた液回収用のスリットからオーバーフローして、内容液が注出ノズルの外側に溢れ出る場合がある。特に内容液の粘度の高くなると、注出ノズルと連通する注出口を介して容器本体から注出ノズルに流出する内容液の流出速度よりも、注出ノズルに沿って流下する内容液の流下速度の方が小さくなり過ぎて、内容液が注出ノズルの外側に溢れ出やすくなる。
【０００４】
このようなことから、内容液の注出時に容器本体を急激に傾けた場合でも、内容液が注出ノズルから勢い良く飛び出したり、注出ノズルの外側に溢れ出たりしないようにした注出容器も開発されている（例えば、特許文献３参照）。特許文献３の注出容器では、注出キャップの傾斜底板の最下部に、注出口のほぼ中央まで下方に延びる傾斜壁を設けることで、注出口をほぼ半分まで遮蔽して、容器本体を急激に傾けたときにも、内容液が勢いよく飛び出さないようにしている。
【先行技術文献】
【特許文献】
【０００５】
【特許文献１】特開２００６−１８２３５９号公報
【特許文献２】特開２００９−１０７７２４号公報
【特許文献３】特開２００８−１５５９５３号公報
【発明の概要】
【発明が解決しようとする課題】
【０００６】
しかしながら、特許文献３の注出容器では、内容液が勢いよく飛び出さないようにすることは可能であるが、内容液の注出量をコントロールしながら少量ずつ注出ノズルから注出させる際には、安定した状態で所定量注出させることは困難である。例えば、内容物の粘度が高く流動性が小さくなってくると、洗濯物の汚れの目立つ箇所に、少量の液体洗剤を計量キャップを介することなく注出ノズルから直接塗布しようとする際に、注出し難くなってくる。また、早く注ぐために大きく傾けると注出ノズルの底部の傾斜壁により詰まったり飛び出したりする可能性があり、かように内容液の物性によって注出量をコントロールすることが難しい。したがって、液体洗剤の注出量をコントロールしながら少量ずつ安定した状態で注出させることができれば便利である。
【０００７】
本発明は、内容液を補充する際には、注出口を介して内容液をスムーズに容器本体に流入させることができ、且つ内容液を注出する際には、内容液が注出ノズルの外側に溢れ出るのを効果的に回避できると共に、注出量をコントロールしながら少量ずつ安定した状態で内容液を注出ノズルから注出させることのできる注出容器を提供することを目的とする。
【課題を解決するための手段】
【０００８】
本発明は、容器本体の口首部に注出ノズルを備える注出キャップが装着されており、前記容器本体を傾倒させて、注出口から前記注出ノズルに流出させた内容液を前記注出ノズルの先端から注出させる注出容器であって、前記注出キャップは、前記容器本体の口首部の内周面に沿って配置される内筒壁を備えると共に、該内筒壁の下端部に連設する底面壁を備えており、前記注出ノズルは、前記内筒壁と離間して前記底面壁から立設して設けられると共に、前記注出口は、前記底面壁における前記注出ノズルの内側領域に開口形成されており、前記注出ノズルは、内容液を注出させる際の傾倒方向とは反対側を開放部とした凹形断面形状を備えており、前記注出口は、これの開口縁部と前記注出ノズルの基端部との間に張出し周縁壁を介在させて設けられている注出容器を提供することにより、上記目的を達成したものである。
【発明の効果】
【０００９】
本発明の注出容器によれば、内容液を補充する際には、注出口を介して内容液をスムーズに容器本体に流入させることができ、且つ内容液を注出する際には、内容液が注出ノズルの外側に溢れ出るのを効果的に回避できると共に、注出量をコントロールしながら少量ずつ安定した状態で内容液を注出ノズルから注出させることができる。
【図面の簡単な説明】
【００１０】
【図１】本発明の好ましい一実施形態に係る注出容器の一部破断分解側面図である。
【図２】本発明の好ましい一実施形態に係る注出容器を構成する注出キャップの斜視図である。
【図３】（ａ）は注出キャップの側面図、（ｂ）は注出キャップの背面図、（ｃ）は注出キャップの平面図、（ｄ）は（ｃ）のＡ−Ａに沿った注出キャップの断面図である。
【図４】計量キャップの斜視図である。
【図５】内容液を補充する状況を説明する略示斜視図である。
【発明を実施するための形態】
【００１１】
本発明の好ましい一実施形態に係る注出容器１０は、内容液として、例えば衣料用液体洗剤を収容する容器であって、図１に示すように、容器本体１１と、容器本体１１の口首部１２に装着される注出キャップ１３と、注出キャップ１３の注出ノズル１４を覆って容器本体１１の口首部１２に着脱可能に装着される計量キャップ１５とによって構成される。本実施形態の注出容器１０は、取り外した計量キャップ１５に注出ノズル１４を介して内容液を注入し、計量した後に洗濯機等に注出することができる他、注出ノズル１４から少量の内容液を洗濯物等に直接塗布することができる。また注出キャップ１３を容器本体１１の口首部１２に装着したままの状態で、必要に応じて詰替え用の袋状容器２７（図５参照）から内容液を適宜補充しながら、長期間使用することが可能である。
【００１２】
そして、本実施形態の注出容器１０は、容器本体１１の口首部１２に注出ノズル１４を備える注出キャップ１３が装着されており、容器本体１１を傾倒させて、注出口１６（図２参照）から注出ノズル１４に流出させた内容液を注出ノズル１４の先端から注出させる容器である。注出キャップ１３は、図２及び図３（ａ）〜（ｄ）に示すように、容器本体１１の口首部１２の内周面１２ａ（図１参照）に沿って配置される内筒壁１７を備えると共に、内筒壁１７の下端部に連設する底面壁１８を備えている。また注出ノズル１４は、内筒壁１７と離間して底面壁１８から立設して設けられると共に、注出口１６は、底面壁１８における注出ノズル１４の内側領域に開口形成されている。注出ノズル１４は、内容液を注出させる際の傾倒方向Ｘとは反対側を開放部とした凹形断面形状として、略Ｕ字断面形状を備えており、注出口１６は、これの開口縁部１６ａと注出ノズル１４の基端部１４ａとの間に張出し周縁壁１９を介在させて設けられている。
【００１３】
本実施形態では、容器本体１１は、合成樹脂による成形品であって、図１に示すように、載置面となる底部２０と、内容液が収容される胴部２１と、胴部２１の上端部から上方に突出する扁平な円筒形状の口首部１２とからなる。胴部２１の側部には、取手部２２が一体として設けられている。口首部１２の外周面には、計量キャップ１５を着脱可能に螺着させる雄ネジ突条２３が設けられている。計量キャップ１５を取り外した状態で、取手部２２を把持して容器本体１１を傾倒方向Ｘに傾倒させることにより、容器本体１１の胴部２１から内容液を、注出キャップ１３の注出口１６及び注出ノズル１４を介して所定量を容易に注出させることができる。
【００１４】
注出キャップ１３は、本実施形態では、口首部１２の内側に嵌め込まれるように固着されて容器本体１１に一体として取りけられる。注出キャップ１３は、合成樹脂による成形品であって、図２及び図３（ａ）〜（ｄ）に示すように、略円筒形状の内筒壁１７と、内筒壁１７の下端開口を覆うようにして内筒壁１７の下端部に一体として連設される底面壁１８とからなる。
【００１５】
内筒壁１７は、容器本体１１の口首部１２の内径よりも僅かに小さな外径を備えており、容器本体１１の口首部１２に注出キャップ１３が装着された際に、口首部１２の内周面１２ａに沿って配置される。内筒壁１７の上端部分は、容器本体１１の口首部１２の内径と略同じ外径を備える拡径部１７ａとなっている。この拡径部１７ａを無理押しするようにして口首部１２の上端部内側に嵌め込むことで、その周面摩擦力によって、注出キャップ１３を容器本体１１の口首部１２に強固に固着することができる。拡径部１７ａの上端部には、その外周縁部に沿って外側に僅かに突出する環状係止リブ１７ｂが設けられている。この環状係止リブ１７ｂを容器本体１１の口首部１２の上端面の内周縁部に係止することで、固着時に注出キャップ１３が口首部１２の内部に過度に押し込まれるのを回避する。
【００１６】
底面壁１８は、本実施形態では、内容液を注出させる際の傾倒方向Ｘとは反対側に片寄せて配置された横長矩形形状の最下面部１８ａと、この最下面部１８ａに向けて内筒壁１７の下端内周縁部１７ｃから下方に傾斜して延設する４面の傾斜面部１８ｂ，１８ｃ，１８ｄとを含んで構成される。すなわち、傾倒側傾斜面部１８ｂは、内筒壁１７の下端内周縁部１７ｃにおける傾倒方向Ｘ側の略半円の領域から、最下面部１８ａの長辺部に向けて下方に傾斜する傾斜面部となっている。両側の一対の側部傾斜面部１８ｃは、傾倒側傾斜面部１８ｂと隣接する領域において、内筒壁１７の下端内周縁部１７ｃから最下面部１８ａの短辺部に向けて下方に傾斜する傾斜面部となっている。反傾倒側傾斜面部１８ｄは、最下面部１８ａを挟んだ傾倒側傾斜面部１８ｂとは反対側の領域において、内筒壁１７の下端内周縁部１７ｃから最下面部１８ａの長辺部に向けて下方に傾斜する傾斜面部となっている。底面壁１８には、これの中央部分に注出ノズル１４が立設配置されると共に、注出ノズルの内側領域に注出口１６が開口形成される。内筒壁１７の内径は、拡径部１７ａから下端内周縁部１７ｃに向けて小さくなっており、拡径部１７ａの直径を基準としたときに下端内周縁部１７ｃの直径が１／２以上になっていることが好ましい。
【００１７】
注出ノズル１４は、本実施形態では、内容液を注出させる際の傾倒方向Ｘとは反対側を開放部とした略Ｕ字断面形状を備える。すなわち、注出ノズル１４は、底面壁１８と接合する基端部１４ａにおいて、略Ｕ字断面形状の閉塞側の略半円弧形状部分を傾倒方向Ｘ側に配置すると共に、略Ｕ字断面形状の開放側の端部を最下面部１８ａに配置した状態で、内筒壁１７とは間隔をおいて、底面壁１８の傾倒側傾斜面部１８ｂと最下面部１８ａとに跨る領域に設けられる。また注出ノズル１４は、その上部を内筒壁１７よりも上方に突出させた状態で、底面壁１８の最下面部１８ａに対して略垂直に立設する。内筒壁１７よりも上方に突出する注出ノズル１４の上部は、先端側に向けて略Ｕ字断面形状の側壁部分の高さを徐々に減少させた、側面視して略４半円形状を有するように形成される（図３（ａ）参照）。注出ノズル１４は、その基端部１４ａにおける略Ｕ字断面形状の傾倒方向Ｘにおける長さがおおよそ１５ｍｍ〜３５ｍｍであることが好ましく、傾倒方向Ｘと垂直な幅方向の長さは、注出口１６が最大幅となる位置において１０ｍｍ〜３０ｍｍであることが好ましい。
【００１８】
注出口１６は、本実施形態では、図２及び図３（ｃ）に示すように、底面壁１８における略Ｕ字断面形状の注出ノズル１４の基端部１４ａの内側領域に開口形成されている。すなわち、注出口１６は、底面壁１８の傾倒側傾斜面部１８ｂの領域においては、注出ノズル１４の基端部１４ａの形状に略沿った形状の、略半長円形状に形成されると共に、この略半長円形状部分の傾倒方向Ｘとは反対側の縁部から連続して、内容液の注出時の空気送込み用の切欠部１６ｂが、矩形形状に切欠き形成されている。この空気送込み用の切欠部１６ｂは、底面壁１８の最下面部１８ａに食い込むようにして設けられている。つまり容器本体１１を正立状態としたとき、注出口１６の略半長円形状部分が傾倒側傾斜面部１８ｂに形成され、切欠部１６ｂが略半長円形状部分に連接する部分のみを傾斜面部１８ｂに跨る状態で底面壁１８の最下部に配置される。
【００１９】
また、本実施形態では、注出口１６は、切欠部１６ｂを含めたその全体が、底面壁１８において略Ｕ字断面形状の注出ノズル１４の基端部１４ａの内側領域に開口形成されており、注出口１６の開口縁部１６ａと注出ノズル１４の基端部１４ａとの間には、張出し周縁壁１９を介在させている。
【００２０】
張出し周縁壁１９は、底面壁１８の一部として注出ノズル１４の基端部１４ａから内側の注出口１６に向けて板状に張り出して設けられる部分である。注出口１６の開口縁部１６ａと注出ノズル１４の基端部１４ａとの間に張出し周縁壁１９が介在することで、注出口１６は、その全周に亘って、注出ノズル１４の基端部１４ａの内側領域の形状よりも一回り小さな開口形状を備えることになる。
【００２１】
ここで、注出口１６の少なくとも傾倒方向Ｘ側の部分における張出し周縁壁１９の張出し幅ｂ（図３（ｃ）参照）は、０．５〜５ｍｍ、特に１〜４ｍｍとなっていることが好ましい。この範囲であると、内容液の液性にかかわり無く、どっと出を防止でき、吐出量の少量コントロールが容易となる。張出し周縁壁１９の幅ｂが小さすぎると、容器をわずかに傾斜させただけで、特に内容液の粘度が低くて流出しやすい場合に多量に出やすくなってしまう。反対に大きすぎると、容器をわずかに傾斜させただけでは飛び出しにくくなるものの、急激に傾斜させた場合にどっと飛び出してしまいがちとなる。また、本実施形態では、張出し周縁壁１９は注出口１６の略半長円形状部分全域に設けられているが、Ｕ字形状の先端部（傾倒側）や両側縁部に部分的に設けられていても良い。
【００２２】
本実施形態では、注出キャップ１３の注出ノズル１４を覆って容器本体１１の口首部１２に装着される計量キャップ１５は、合成樹脂による成形品であって、図１に示すように、計量筒部２４と、計量筒部２４の中間部外周面からスカート形状に外側に張り出して一体として成形されたスカート状装着部２５とからなる。スカート状装着部２５の内周面には雌ネジ突条２６が設けられている。この雌ネジ突条２６を容器本体１１の口首部１２の外周面に設けられた雄ネジ突条２３に螺合することによって、計量キャップ１５は、計量筒部２４の内側に注出ノズル１４を収めた状態で、容器本体１１の口首部１２に着脱可能に装着される。スカート状装着部２５の天面部２５ａの内面側には、環状シール部２５ｂが形成されており、内筒壁１７の上端部分の環状係止リブ１７ｂに当接することにより、容器本体内が密封される。また、スカート状装着部２５の筒状壁の外表面には、図示したように、必要に応じてローレットを形成してもよい。
【００２３】
計量キャップ１５は、これを容器本体１１の口首部１２から取り外し、開口部を上方に向けて逆さにした状態で、注出キャップ１３の注出ノズル１４から内容液を注入して計量した後に、所定量の内容液を洗濯機等の注出箇所に注出することができる。また開口部を下方に向けて再び容器本体１１の口首部１２に装着する際には、計量筒部２４のスカート状装着部２５よりも開口側の部分を液戻し部２４ａとして、これを注出キャップ１３の内筒壁１７と注出ノズル１４との間隔部分に挿入配置する。これによって、計量筒部２４に残った内容液を、注出ノズル１４の開放部及び注出口１６を介して、容器本体１１の内部にスムーズに回収することができる。
【００２４】
また、本実施形態では、計量キャップ１５の計量筒部２４には、図４に示すように、周面の一部に、稜線部２８ａとこれの両側の一対の平面部２８ｂとからなる山形断面形状部分２８が設けられている。この山形断面形状部分２８を下方に配置して計量キャップ１５を傾けることで、計量筒部２４内の内容液を、稜線部２８ａを介して開口部から少量づつ注出させることが可能になる。これによって、稜線部２８ａの先端部分を用いて内容液の衣服等への部分塗布を容易に行うことが可能になる。平面部２８ｂには、計量目盛りが描かれている。
【００２５】
更に、計量筒部２４のスカート状装着部２５を挟んだ液戻し部２４ａ側と計量部２４ｂ側とがそれぞれスカート状装着部２５から軸方向に突出し、液戻し部２４ａ側の外形形状と、計量部２４ｂ側の外形形状とが略同一に形成されている。したがって、キャップの使用者は、計量キャップ１５が容器本体１１に装着された状態でも一見して注出ノズル１４の位置を認識することができる。
【００２６】
そして、上述の構成を有する本実施形態の注出容器１０によれば、内容液を注出する際には、内容液が注出ノズル１４の外側に溢れ出るのを効果的に回避できると共に、内容液を補充する際には、注出口１６を介して内容液をスムーズに容器本体１１に流入させることができ、且つ注出量をコントロールしながら少量ずつ安定した状態で内容液を注出ノズル１４から注出させることができる。
【００２７】
すなわち、本実施形態の注出容器１０によれば、注出口１６は、底面壁１８における注出ノズル１４の内側領域に開口形成されており、注出口１６の開口縁部１６ａと注出ノズル１４の基端部１４ａとの間には、張出し周縁壁１９が介在して設けられているので、注出口１６を介して容器本体１１から注出ノズル１４に流出する内容液は、注出口１６よりも一回り大きな略Ｕ字断面形状（凹形断面形状）を有する注出ノズル１４による流路を介して、これの先端側に流下してゆくことになる。これによって、例えば内容液の注出時に容器本体１１が急激に傾けられて、注出口１６の全体から内容液が注出ノズル１４に一度に流出したり、内容液が例えば１５０〜４０００ｍＰａ・ｓ（２０℃）程度、特に４００〜２０００ｍＰａ・ｓ（２０℃）の粘度の高い内容液であって、注出口１６からの流出速度よりも、注出ノズル１４に沿った流下速度の方が小さくなり過ぎる場合でも、注出ノズル１４による流路断面が注出口１６よりも大きくなることで注出ノズル１４における内容液の滞留を吸収して、内容液が注出ノズル１４の外側に溢れ出るのを効果的に回避することが可能になる。
【００２８】
また、本実施形態の注出容器１０によれば、注出ノズル１４は、傾倒方向Ｘとは反対側を開放部とした略Ｕ字断面形状（凹形断面形状）を備えており、注出口１６は、略Ｕ字断面形状の注出ノズル１４の基端部１４ａの形状に沿った相当の大きさの開口形状を有しているので、図５に示すように、広く開放された注出ノズル１４の開放部側から、例えば詰替え用の袋状容器２７による内容液の詰替え作業を、容易に且つスムーズに行うことが可能になる。
【００２９】
さらに、本実施形態の注出容器１０によれば、注出口１６の少なくとも傾倒方向Ｘ側の部分に張出し幅ｂが０．５〜５ｍｍ程度の張出し周縁壁１９が設けられているので、注出口１６から注出ノズル１４による流路に内容液が流出する際に、張出し周縁壁１９が越流堰として機能して、内容液が張出し周縁壁１９を一旦越えてから注出ノズル１４に流出することになるので、容器本体１１を傾倒方向Ｘに傾ける大きさを調整することによる注出量のコントロールを、容易に行うことが可能になると共に、特に内容液を少量ずつ注出する場合でも、所望の量の内容液を、注出ノズル１４から安定した状態で注出することが可能になる。
【００３０】
なお、本発明は上記実施形態に限定されることなく種々の変更が可能である。例えば、注出容器は、注出キャップを覆って計量キャップが着脱可能に装着されるものである必要は必ずしもない。また、注出キャップは、容器本体の口首部の内側に嵌め込み形式で装着されるものの他、容器本体の口首部の外側から螺合形式で装着されるものであっても良い。さらに、容器本体に収容されて注出ノズルから注出される内容液は、粘度の高いものの他、低粘度のものであっても良い。内容液は、衣料用液体洗剤の他、例えば柔軟剤、漂白剤、食器用洗剤、入浴剤、住居用洗剤等、その他の種々の液体であっても良い。注出ノズルは、略Ｕ字断面形状以外のその他の凹形断面形状を有していても良い。
【符号の説明】
【００３１】
１０  注出容器
１１  容器本体
１２  口首部
１３  注出キャップ
１４  注出ノズル
１４ａ  基端部
１５  計量キャップ
１６  注出口
１７  内筒壁
１８  底面壁
１８ａ  最下面部
１８ｂ  傾倒側傾斜面部
１８ｃ  側部傾斜面部
１８ｄ  反傾倒側傾斜面部
１９  張出し周縁壁
２０  底部
２１  胴部
２２  取手部
２４  計量筒部
２５  スカート状装着部
２７  詰替え用の袋状容器
Ｘ    傾倒方向
【図１】
2011136764.tif 000003
【図２】
2011136764.tif 000004
【図３】
2011136764.tif 000005
【図４】
2011136764.tif 000006
【図５】
2011136764.tif 000007